(57)【要約】      （修正有）【課題】製品長を自由に調整可能な吸収性物品を提供する。【解決手段】第１吸収性本体１０と第２吸収性本体２０とを備え，第２吸収性本体は，その一部に肉抜き部２４ａが形成されることで，肉部分の幅寸法が小さく形成された幅小部２４と，幅小部よりも肉部分の幅寸法が大きく形成された幅大部２５を有する。第１吸収性本体の一方面側には，少なくとも一部に開口３１ａを形成するように被覆シート３１が固定され，第１吸収性本体との間で，第２吸収性本体の幅小部の少なくとも一部と，幅大部の少なくとも一部とが被覆されている。幅小部の肉抜き部に相当する部位の一部において，被覆シートと第１吸収性本体を接合する抜止め用接合部３２が形成されている。これにより，開口を通じて第２吸収性本体をスライドさせたときに，第２吸収性本体の幅大部が，抜止め用接合部に当接する。【選択図】図１
2015181490.tif 000002
【特許請求の範囲】
【請求項１】
複数のシート部材の間に第１吸収体（１１）が介在する第１吸収性本体（１０）と，
複数のシート部材の間に第２吸収体（２１）が介在する第２吸収性本体（２０）と，を備え，
前記第１吸収性本体（１０）の一方面側に前記第２吸収性本体（２０）の少なくとも一部が重ねられている吸収性物品であって，
前記第１吸収性本体（１０）と前記第２吸収性本体（２０）を連結する連結手段（３０）を，さらに備え，
前記第２吸収性本体（２０）は，
少なくとも一部に肉抜き部（２４ａ）が形成されて肉部分の幅寸法が小さく形成された幅小部（２４）と，
前記幅小部（２４）よりも肉部分の幅寸法が大きく形成された幅大部（２５）と，を有し，
前記連結手段（３０）は，
少なくとも一部に開口（３１ａ）を形成するように前記第１吸収性本体（１０）の前記一方面側に固定され，前記第１吸収性本体（１０）との間で，前記第２吸収性本体（２０）の前記幅小部（２４）の少なくとも一部と前記幅大部（２５）の少なくとも一部とを被覆する被覆シート（３１）と，
前記幅小部（２４）の前記肉抜き部（２４ａ）に相当する部位の一部において，前記被覆シート（３１）と前記第１吸収性本体（１０）を接合した抜止め用接合部（３２）と，を有し，
これにより，前記開口（３１ａ）を通じて前記第２吸収性本体（２０）をスライドさせたときに，前記幅大部（２５）が前記抜止め用接合部（３２）に当接する
吸収性物品。
【請求項２】
前記幅大部（２５）は，
前記開口（３１ａ）側に形成された延出側幅大部（２５ａ）と，
前記延出側幅大部（２５ａ）とは反対側の端部に形成された被覆側幅大部（２５ｂ）と，を含み，
前記第２吸収性本体（２０）は，
前記延出側幅大部（２５ａ）と前記被覆側幅大部（２５ｂ）の間に前記幅小部（２４）が形成された形状となっている
請求項１に記載の吸収性物品。
【請求項３】
前記被覆側幅大部（２５ｂ）の一部が前記抜止め用接合部（３２）に当接している状態において，前記幅小部（２４）が，前記第１吸収性本体（１０）の外縁から延出しないように形成されている
請求項２に記載の吸収性物品。
【請求項４】
前記被覆シート（３１）は，前記被覆側幅大部（２５ｂ）の全部分と，前記幅小部（２４）の全部分と，前記延出側幅大部（２５ａ）の少なくとも一部とを被覆する
請求項２又は請求項３に記載の吸収性物品。
【請求項５】
前記抜止め用接合部（３２）は，
接合強度の強い本止め部（３２ａ）と，
前記第２吸収性本体（２０）をスライドさせたときに前記幅大部（２５）が前記本止め部（３２ａ）よりも前に当接する，一又は複数の接合強度の弱い仮止め部（３２ｂ）と，を含む
請求項１から請求項４のいずれかに記載の吸収性物品。
【請求項６】
複数のシート部材の間に第１吸収体（１１）が介在する第１吸収性本体（１０）と
複数のシート部材の間に第２吸収体（２１）が介在する第２吸収性本体（２０）と，を備え，
前記第１吸収性本体（１０）の一方面側に前記第２吸収性本体（２０）の少なくとも一部が重ねられている吸収性物品であって，
前記第１吸収性本体（１０）と前記第２吸収性本体（２０）を連結する連結手段（３０）を，さらに備え，
前記第２吸収性本体（２０）は，
側縁に肉抜き部（２４ａ）が形成されて肉部分の幅寸法が小さく形成された幅小部（２４）と，
前記幅小部（２４）よりも肉部分の幅寸法が大きく形成された幅大部（２５）と，を有し，
前記連結手段（３０）は，
連通した開口（３３ａ）を形成するように前記第１吸収性本体（１０）の前記一方面側に固定され，前記第２吸収性本体（２０）の前記幅小部（２４）の少なくとも一部を被覆する抜止め用バンド部材（３３）を有し，
これにより，前記連通した開口（３３ａ）を通じて前記第２吸収性本体（２０）をスライドさせたときに，前記幅大部（２５）の一部が前記抜止め用バンド部材（３３）に当接する
吸収性物品。
【発明の詳細な説明】
【技術分野】
【０００１】
本発明は，着用者の股下に当てがわれて，尿などの液体を吸収し保持するための吸収性物品に関する。具体的に説明すると，本発明の吸収性物品は，２以上の吸収性本体を重ね合わせて構成されたものであり，一方の吸収性本体をスライドさせることで，製品長を自由に伸縮させることができるようになっている。
【背景技術】
【０００２】
従来から，尿などの排泄物を吸収するための吸収性物品として，例えば，使い捨ておむつや，吸収性パッド，生理用ナプキンなどが知られている。例えば，吸収性パッドは，使い捨ておむつと併用して用いられる吸収性物品である。一般的な吸収性パッドは，パルプ層と高吸収性ポリマー（ＳＡＰ）を含む吸収体を，液透過性のトップシートと液不透過性のバックシートによって挟み込むことにより構成されている。このため，使い捨ておむつの内面側に吸収性パッドを重ねて配置することで，おむつの着用者が多量の尿を排泄しても，尿が外部に漏れ出す事態を防止できる。また，夜間の就寝中に使い捨ておむつを着用するような場合には，長時間に亘っておむつを着用し続けることとなる。このような場合，着用者が就寝中に多量の尿を排泄することも予想されるため，吸収性パッドを併用することで，尿の吸収を補助することができる。
【０００３】
ところで，一般的な吸収性物品は，その製品長が変わらないため，男性のように排尿位置と排便位置が離れている者や，身体の大きい者が適切に装着できるようにするためには，吸収性物品の製品長を予め長く設定しておく必要がある。ただし，介護を要する者が複数人所属している介護施設に吸収性物品を備え付ける場合や，着用者の体調に合わせて製品長の異なる吸収性物品を装着させる場合など，製品長の異なる複数の吸収性物品を準備しておかなければならない場合もある。このような場合には，製品長の異なる様々な種類の吸収性物品を用意しなければならず，そのコストが嵩むという問題がある。また，着用者の身体のサイズや，身体的障害（体の麻痺等）の有無によっては，特定のサイズしか存在していない既成品では着用者の身体に適切にフィットしない場合もある。そうすると，着用者の個別の状況に応じて吸収性物品の製品長を変化させることが難しいため，吸収性物品と着用者の身体の間に隙間が生じて，尿漏れが発生する恐れがあった。
【０００４】
ここで，上記のような問題を解決するために，従来から，個人の体型に合わせて製品長を調整することのできる吸収性物品が知られている（例えば特許文献１〜３）。
【０００５】
特許文献１の吸収性物品は，吸収性物品の長手方向に沿って複数の吸収体が互いに重ね代をもって連設されており，この吸収体を被覆するシート部材が伸縮可能なように中間に折り畳み部を有している構造となっている。これにより，特許文献１の吸収性物品は，連設された複数の吸収体の内の前部側又は後部側吸収体を引き出すことにより，吸収性物品の長手寸法を調整することができるようになっている。
【０００６】
また，特許文献２の吸収性物品は，吸収性本体が内面側に向けて谷折り状に折り曲げられて，その折り目部分で接合されている。これにより，特許文献２の吸収性物品は，折り目を展開することで，吸収性物品のサイズを拡大できるようになっている。
【０００７】
また，特許文献３の吸収性物品は，伸縮可能な伸縮シートと，この伸縮シート上に配置された複数の吸収体とを有しており，この複数の吸収体の各々が伸縮シートに対して部分的に貼り合わされている。特許文献３の吸収性物品は，伸縮シートが非伸長状態にあるときに，吸収体の各々が少なくとも１つの隣接する別の吸収体と重なり合うようになっており，使用者の体格に自在に対応することができるとされている。
【先行技術文献】
【特許文献】
【０００８】
【特許文献１】特開２００８−０８００４５号公報
【特許文献２】特開２０１０−２５９５００号公報
【特許文献３】特開２００３−１２６１４４号公報
【発明の概要】
【発明が解決しようとする課題】
【０００９】
しかしながら，上記した特許文献１〜３に開示された従来の吸収性物品は，いずれも，その構造上，着用者が吸収性物品を装着している最中に，その吸収性物品の製品長を伸縮させることが難しくなっている。つまり，吸収性物品は，着用者によって装着されている状態では，着用者の臀部と被服や床などの間に挟み込まれた状態となる。また，着用者が座っている状態や寝ている状態にあるときには，吸収性物品は着用者の臀部によって押圧され，荷重が掛かった状態となる。特に，吸収性物品に荷重が掛かると，吸収性物品の肌対向面には着用者の臀部と間の摩擦が生じ，吸収性物品の肌非対向面には被服や床との間で摩擦が生じることとなる。このため，臀部と被服等の間に挟まれ，しかも荷重が掛かった状態において，従来の吸収性物品は，その製品長を伸ばしたり縮めたりすることが難しいとされていた。従って，従来の吸収性物品は，着用者の体格にフィットする製品長を予測して予め伸縮させた後に，着用者の股下に当てがう必要がある。しかし，着用者に実際に装着させた状態で，吸収性物品の製品長を微調整することができれば，着用者の体格によりフィットするように製品長を設定することが容易になる。
【００１０】
このため，現在では，着用者によって装着されている状態においても，その製品長を調整しやすい吸収性物品が求められている。
【課題を解決するための手段】
【００１１】
そこで，本発明の発明者は，従来の問題の解決手段について鋭意検討した結果，重なり合った二つの吸収性本体の一方がスライドする吸収性物品において，二つの吸収性本体を連結する連結手段によって，スライドする側の吸収性本体の一部を被覆することとした。これにより，スライドする側の吸収性本体が着用者の肌や被服等に接触する面積を減らすことができるため，着用者が着用している最中でも，吸収性本体をスライドさせて吸収性物品の製品長を調節しやすくなる。併せて，上記の連結手段によって，一方の吸収性本体のスライド距離を制限することとした。そして，本発明者は，上記知見に基づけば，従来技術の課題を解決できることに想到し，本発明を完成させた。具体的に説明すると，本発明は以下の構成を有する。
【００１２】
本発明は，吸収性物品に関する。まず，本発明の第１の実施形態に係る吸収性物品について説明する。
本発明の吸収性物品は，複数のシート部材の間に第１吸収体１１が介在する第１吸収性本体１０と，複数のシート部材の間に第２吸収体２１が介在する第２吸収性本体２０と，を備える。第１吸収性本体１０の一方面側には，第２吸収性本体２０の少なくとも一部が重ねられている。ここにいう，第１吸収性本体１０の「一方面側」とは，第１吸収性本体１０の肌対向面（着用者の肌に対向する面）側であってもよいし，第１吸収性本体１０の肌非対向面（着用者の肌に対抗しない面）側であってもよい。
第２吸収性本体２０は，幅小部２４と幅大部２５を有する。
幅小部２４は，少なくとも一部に肉抜き部２４ａが形成されることで，肉部分の幅寸法が小さく形成された部位である。肉抜き部２４ａは，第２吸収性本体２０の側縁に形成された切欠き状のものであってもよいし，第２吸収性本体２０の中央部分に形成された孔状のものであってもよい。
幅大部２５は，幅小部２４よりも肉部分の幅寸法が大きく形成された部位である。
ここで，本発明の吸収性物品は，第１吸収性本体１０と第２吸収性本体２０を連結する連結手段３０を，さらに備える。
第１の実施形態において，連結手段３０は，被覆シート３１と抜止め用接合部３２を有する。
被覆シート３１は，少なくとも一部に開口３１ａを形成するように第１吸収性本体１０の一方面側に固定されたシート部材である。また，被覆シート３１は，第１吸収性本体１０との間で，第２吸収性本体２０の幅小部２４の少なくとも一部と，幅大部２５の少なくとも一部とを被覆している。
抜止め用接合部３２は，幅小部２４の肉抜き部２４ａに相当する部位の一部において，被覆シート３１と第１吸収性本体１０を接合した接合部である。
これにより，第１の実施形態の吸収性物品は，開口３１ａを通じて第２吸収性本体２０をスライドさせたときに，第２吸収性本体２０の幅大部２５が，抜止め用接合部３２に当接するようになっている。このため，第２吸収性本体２０のスライド幅が，抜止め用接合部３２によって制限されている。
【００１３】
上記構成のように，本実施形態では，第１吸収性本体１０に第２吸収性本体２０を重ねて，この第２吸収性本体２０を被覆シート３１で被覆することとしている。すなわち，第２吸収性本体２０は，第１吸収性本体１０と被覆シート３１の間に介在していることとなる。このため，第２吸収性本体２０は，着用時においても，着用者の肌や被服等が直接的に接触する面積が少なくなる。これにより，着用時において着用者の体圧（荷重）が，吸収性物品の全体に掛かっている場合であっても，第２吸収性本体２０は，着用者の肌や被服等に触れにくくなるため，スムーズにスライドさせて引き出すことが可能となる。従って，着用者が装着している最中であっても，第２吸収性本体２０をスライドさせて，吸収性物品の製品長を比較的容易に調整することができる。また，第１吸収性本体１０と被覆シート３１を接合して抜止め用接合部３２を形成することで，第２吸収性本体２０のスライド長さを制限し，第１吸収性本体１０と第２吸収性本体２０が分離することを防止することができる。これにより，着用者は，第２吸収性本体２０をスライドさせて，吸収性物品の製品長を長くしたり短くしたりする操作を行いやすくなる。
【００１４】
本実施形態において，幅大部２５は，開口３１ａ側に形成された延出側幅大部２５ａと，延出側幅大部２５ａとは反対側の端部に形成された被覆側幅大部２５ｂと，を含むことが好ましい。すなわち，第２吸収性本体２０は，延出側幅大部２５ａと被覆側幅大部２５ｂの間に幅小部２４が形成された形状となっている。
【００１５】
上記構成のように，延出側幅大部２５ａを設けることで，第２吸収性本体２０をスライドさせたときに，この第２吸収性本体２０が広い範囲（延出側幅大部２５ａ）で，着用者の肌に接触することとなる。これにより，着用者の排泄物をより効率的に吸収できる。また，被覆側幅大部２５ｂを設けることで，第２吸収性本体２０をスライドさせて引き出したときに，この被覆側幅大部２５ｂが抜止め用接合部３２に当接する。つまり，被覆側幅大部２５ｂは，第２吸収性本体２０のスライド長さを制限するためのストッパーとして機能する。
【００１６】
本実施形態の吸収性物品は，被覆側幅大部２５ｂの一部が抜止め用接合部３２に当接している状態において，幅小部２４が，第１吸収性本体１０の外縁から延出しないように形成されていることが好ましい。
【００１７】
上記構成では，吸収性物品を第１吸収性本体１０側からみた見たときに，第２吸収性本体２０の幅小部２４が第１吸収性本体１０の裏側に隠れて見えなくなっている。幅小部２４は，肉抜き部２４ａが形成されているため，この幅小部２４によって排泄液を吸収しようとしても，肉抜き部２４ａを通じて液体が漏れる恐れがある。このため，第２吸収性本体２０の幅小部２４を常に第１吸収性本体１０の裏側に位置させて，着用者の肌に直接触れないようにすることが好ましい。
【００１８】
本実施形態において，被覆シート３１は，被覆側幅大部２５ｂの全部分と，幅小部２４の全部分と，延出側幅大部２５ａの少なくとも一部とを被覆するものであることが好ましい。なお，第２吸収性本体２０が被覆シート３１の内部に最大限収納された状態において，被覆シート３１が，被覆側幅大部２５ｂの全部分と，幅小部２４の全部分と，延出側幅大部２５ａの少なくとも一部とを被覆してればよい。ただし，第２吸収性本体２０が被覆シート３１から最大限引き出された状態においても，被覆シート３１が，被覆側幅大部２５ｂの全部分と，幅小部２４の全部分と，延出側幅大部２５ａの少なくとも一部とを被覆していることが好ましい。
【００１９】
上記構成のように，被覆シート３１によって，第２吸収性本体２０の大部分を被覆することで，第２吸収性本体２０は，着用時においても，着用者の肌や被服にほとんど直接接触しなくなる。このため，着用時においても第２吸収性本体２０をスムーズにスライドさせて引き出すことが可能となる。
【００２０】
本実施形態において，抜止め用接合部３２は，接合強度の強い本止め部３２ａと，一又は複数の接合強度の弱い仮止め部３２ｂとを含むことが好ましい。つまり，仮止め部３２ｂは，第２吸収性本体２０をスライドさせたときに，第２吸収性本体２０の幅大部２５が本止め部３２ａよりも前に当接する接合部である。
【００２１】
上記構成のように，第２吸収性本体２０の幅大部２５が，仮止め部３２ｂと本止め部３２ａに順次当接するようにすることで，段階的に第２吸収性本体２０をスライドさせることができる。このため，第２吸収性本体２０の延出長さを，調節しやすくなる。
【００２２】
続いて，本発明の第２の実施形態に係る吸収性物品について説明する。
本発明の吸収性物品は，複数のシート部材の間に第１吸収体１１が介在する第１吸収性本体１０と，複数のシート部材の間に第２吸収体２１が介在する第２吸収性本体２０と，を備える。第１吸収性本体１０の一方面側には，第２吸収性本体２０の少なくとも一部が重ねられている。
第２吸収性本体２０は，幅小部２４と幅大部２５を有する。幅小部２４は，側縁に肉抜き部２４ａが形成されることで，肉部分の幅寸法が小さく形成された部位である。幅大部２５は，幅小部２４よりも肉部分の幅寸法が大きく形成された部位である。
ここで，本発明の吸収性物品は，第１吸収性本体１０と第２吸収性本体２０を連結する連結手段３０を，さらに備える。第２の実施形態は，主に，連結手段３０の構成が，第１の実施形態と異なっている。
第２の実施形態において，連結手段３０は，抜止め用バンド部材３３によって構成されている。抜止め用バンド部材３３は，連通した開口３３ａを形成するように第１吸収性本体１０の一方面側に固定されており，第２吸収性本体２０の幅小部２４の少なくとも一部を被覆する。
これにより，連通した開口３３ａを通じて第２吸収性本体２０をスライドさせたときに，幅大部２５の一部が抜止め用バンド部材３３に当接する。
【００２３】
上記構成においても，抜止め用バンド部材３３よって，第２吸収性本体２０の一部を被覆することができるため，第２吸収性本体２０をスムーズにスライドさせることが可能となる。ただし，連結手段３０によって，第２吸収性本体２０を被覆することのできる面積は，第２の実施形態よりも，第１の実施形態の方が広い。このため，本発明では，第１の実施形態の方が好ましい実施形態であるといえる。
【発明の効果】
【００２４】
本発明の吸収性物品は，着用者によって装着されている状態において，第２吸収性本体を容易にスライドさせることができるため，その製品長を調整しやすいという効果を奏する。
【図面の簡単な説明】
【００２５】
【図１】図１は，第１の実施形態に係る吸収性物品の一例を示した平面図である。
【図２】図２は，第１の実施形態に係る吸収性物品の製品長を伸ばした状態を示す平面図である。
【図３】図３は，図１に示されたＸ−Ｘ線における断面図である。
【図４】図４は，第１の実施形態に係る吸収性物品の使用状態の例を示した模式図である。
【図５】図５は，第１の実施形態に係る吸収性物品の改良例を示した平面図である。
【図６】図６は，第１の実施形態に係る吸収性物品の変形例を示した断面図である。
【図７】図７は，第１の実施形態に係る吸収性物品の様々なバリエーションを示している。
【図８】図８は，第１の実施形態に係る吸収性物品の様々なバリエーションを示している。
【図９】図９は，第２の実施形態に係る吸収性物品の一例を示した平面図である。
【図１０】図１０は，第２の実施形態に係る吸収性物品の製品長を伸ばした状態を示す平面図である。
【発明を実施するための形態】
【００２６】
以下，図面を用いて本発明を実施するための形態について説明する。本発明は，以下に説明する形態に限定されるものではなく，以下の形態から当業者が自明な範囲で適宜修正したものも含む。
なお，本願明細書において，「Ａ〜Ｂ」とは，「Ａ以上Ｂ以下」であることを意味する。
また，各図面では，吸収性物品の構造を分かり易くするために，Ｘ軸，Ｙ軸，及びＺ軸の直交座標系を設定している。Ｘ軸方向は，吸収性物品の長手方向を示し，Ｙ軸方向は吸収性物品の幅方向を示し，Ｚ軸方向は，吸収性物品の厚み方向を示している。
【００２７】
図１及び図２は，本発明の第１の実施形態に係る吸収性物品１００を，肌非対向面側からみた平面図を示している。図１は，吸収性物品１００の製品長を最大限縮めた状態を示しており，図２は，吸収性物品１００の製品長を最大限伸ばした状態を示している。また，図３は，図１に示したＸ−Ｘ線における断面図を示している。図１〜図３に示されるように，本発明は，着用者の股下に当てがわれて，尿などの排泄物を吸収することのできる吸収性物品１００に関する。吸収性物品１００には，例えば，吸収性物品には，使い捨ておむつや，吸収パッド，生理用ナプキンなどが含まれる。
【００２８】
図１及び図２に示されるように，本発明の吸収性物品１００は，長手方向（Ｙ軸方向）の製品長を自由に調節できる構成を有している。つまり，本発明の吸収性物品１００は，図１に示すように，長手方向の製品長を縮めることもできるし，図２に示すように，長手方向の製品長を伸ばすこともできる。また，図１と図２に示した中間の状態に，吸収性物品１００の製品長を調節することも当然に可能である。
【００２９】
具体的に説明すると，図１〜図３に示されるように，本実施形態に係る吸収性物品１００は，第１吸収性本体１０と，第２吸収性本体２０と，これらを連結する連結手段３０とを備えている。本実施形態において，吸収性物品１００は，第１吸収性本体１０の肌非対向面（着用者の肌と対向しない面）側に，第２吸収性本体２０が重ねられた構造となっている。本実施形態では，第２吸収性本体２０が，第１吸収性本体１０の肌非対向面に沿ってスライド（摺動する）ようになる。連結手段３０は，第２吸収性本体２０がスライドする際に，第１吸収性本体１０から分離しないように，両方の吸収性本体１０，２０を連結する部材である。
【００３０】
図３の断面図に示されるように，第１吸収性本体１０は，基本的に，第１吸収体１１を，液透過性の第１トップシート１２と，液不透過性の第１バックシート１３によって挟み込んだ構造となっている。同様に，第２吸収性本体２０は，基本的に，第２吸収体２１を，液透過性の第２トップシート２２と，液不透過性の第２バックシート２３によって挟み込んだ構造となっている。
【００３１】
吸収体１１，２１は，尿などの液体を吸収し，吸収した液体を保持するための部材である。吸収体１１，２１は，トップシート１２，２２とバックシート１３，２３の間に内包されている。吸収体１１，２１は，トップシート１２，２２を透過した液体を吸収する機能を有する吸収性材料により構成される。吸収体１１，２１を構成する吸収性材料には，公知の材料を採用することができる。吸収性材料としては，例えば，フラッフパルプ，高吸水性ポリマー（ＳＡＰ），又は親水性シートを用いることとしてもよい。また，吸収性材料には，フラッフパルプ，高吸収性ポリマー，又は親水性シートのうち１種類を単独で用いてもよいし，２種類以上を併用することとしてもよい。吸収性材料は，通常，単層又は複数層のマット状に形成され，用いられる。吸収体１１，２１の形状は，適宜，吸収性物品１００の形状や，大きさ，用途に合せて設計することができる。
【００３２】
また，トップシート１２，２２は，着用者の股下部の肌に直接接し，尿などの液体を吸収体１１，２１へ透過させるための部材である。このため，トップシート１２，２２は，柔軟性が高い液透過性材料で構成される。トップシート１２，２２を構成する液透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。
【００３３】
バックシート１３，２３は，トップシート１２，２２を透過し吸収体１１，２１に吸収された液体が，おむつの外部へ漏出することを防止するための部材である。このため，バックシート１３，２３は，液不透過性材料によって構成される。バックシート１３，２３を構成する不透過材料の例は，ポリエチレン樹脂からなる液不透過性のフィルムである。特に，０．１〜４μｍの微細な孔が複数形成された微多孔性ポリエチレンフィルムを用いることが好ましい。
【００３４】
上記のようにして構成された第１吸収性本体１０と第２吸収性本体２０は，図１及び図２に示されるように，少なくとも一部が重畳するように重ねて配置される。そして，各吸収性本体１０，２０は，連結手段３０によって連結される。第１の実施形態において，連結手段３０は，被覆シート３１を含む。
【００３５】
被覆シート３１は，第２吸収性本体２０の少なくとも一部を被覆するシート部材である。本実施形態において，被覆シート３１は，第２吸収性本体２０の肌非対向面（第２バックシート２３）側に位置している。図１及び図２に示されるように，被覆シート３１は，少なくとも一部に開口３１ａを形成するようにして，第１吸収性本体１０の肌非対向面（第１バックシート１３）に固定される。被覆シート３１は，第１吸収性本体１０の長手方向の略全体に亘って固定されていることが好ましい。例えば，被覆シート３１の長手方向（Ｙ軸方向）の長さは，第１吸収性本体１０の長さを１００％としたときに，６０％〜１００％，又は７０％〜９０％程度であることが好ましい。
【００３６】
被覆シート３１を第１吸収性本体１０に固定することで，開口３１ａに通じた内部空間が形成される。すなわち，被覆シート３１と第１吸収性本体１０との固定部３１ｂは，被覆シート３１の外縁の一部を除き，被覆シート３１の外縁の他部に沿って形成される。例えば，被覆シート３１が矩形状である場合，固定部３１ｂは，被覆シート３１の外縁に沿って略コの字型に形成される。このため，被覆シート３１の外縁のうち，第１吸収性本体１０に固定されていない部分が開口３１ａとなる。また，被覆シート３１と第１吸収性本体１０の間には，開口３１ａに通じた内部空間が形成されている。この被覆シート３１と第１吸収性本体１０の間の空間には，第２吸収性本体２０が挿入される。つまり，第２吸収性本体２０は，第１吸収性本体１０と被覆シート３１の間に介在する状態となる。
【００３７】
本実施形態において，吸収性物品１００は，第１吸収性本体１０の肌非対向面側に第２吸収性本体２０が重ねられ，第２吸収性本体２０の肌非対向面側に被覆シート３１が設けられている。このような場合に，被覆シート３１は，液透過性のシート部材によって構成されていてもよいし，液不透過性のシート部材によって構成されていてもよい。特に，被覆シート３１は，第２吸収性本体２０との摩擦抵抗を小さくするために，不織布によって構成されていることが好ましい。例えば，被覆シート３１は，ポリプロピレン，ポリエチレン，ポリエステル，又はナイロンのような熱可塑性樹脂の繊維に親水化処理を施して，不織布にしたものを用いることとしてもよい。また，被覆シート３１を構成する不織布としては，天然繊維や化学繊維を，スパンボンド法，エアスルー法，スパンレース法，サーマルボンド法，メルトブロー法，又はニードルパンチ法等の加工法によって加工したものが挙げられる。
【００３８】
図１及び図２に示されるように，本実施形態において，第１吸収性本体１０と被覆シート３１の間には，第２吸収性本体２０が介在している。第２吸収性本体２０は，第１吸収性本体１０よりも，その幅が一部狭く形成された部位を有している。図１及び図２に示した実施形態において，第２吸収性本体２０は，長手方向の中央部分にくびれ部分を有する砂時計型に形成されている。つまり，第２吸収性本体２０は，幅小部２４と幅大部２５とを有している。本実施形態において，第２吸収性本体２０は，その長手方向両側に幅大部２５が形成され，２つの幅大部２５（２５ａ，２５ｂ）の間に幅小部２４が形成された形状となっている。
【００３９】
幅小部２４は，少なくとも一部に肉抜き部２４ａが形成されることで，肉部分の幅寸法が幅大部２５よりも小さく形成された部位である。本実施形態において，肉抜き部２４ａは，第２吸収性本体２０の幅方向の両側縁に，左右一箇所ずつ形成されている。幅小部２４の長手方向の長さは，第２吸収性本体２０のスライド可能距離に影響を与える。幅小部２４の長手方向（Ｙ軸方向）の長さが長いと，第２吸収性本体２０のスライド可能距離も長くなる。このため，幅小部２４の長手方向の長さは，第２吸収性本体２０の全体の長さを１００％としたときに，例えば１０％〜６０％，又は２０％〜５０％程度とすることが好ましい。
【００４０】
他方，本実施形態において，第２吸収性本体２０は，延出側幅大部２５ａと被覆側幅大部２５ｂの２箇所の幅大部２５を有している。延出側幅大部２５ａは，第２吸収性本体２０の長手方向のうち，被覆シート３１の開口３１ａが位置する側に形成された部位である。また，被覆側幅大部２５ｂは，第２吸収性本体２０の長手方向の端部のうち，延出側幅大部２５ａとは反対側に位置する部位である。このため，第２吸収性本体２０は，延出側幅大部２５ａと被覆側幅大部２５ｂの間に幅小部２４が位置する形状となっている。図１及び図２に示されるように，第２吸収性本体２０をスライドさせることで，延出側幅大部２５ａは，開口３１ａを通過して，第１吸収性本体１０の長手方向端縁から延出するようになる。このため，延出側幅大部２５ａのうちの第１吸収性本体１０のから延出した部分が，着用者の肌に直接触れて，尿などの液体を吸収する。他方，被覆側幅大部２５ｂは，第２吸収性本体２０をスライドさせた前後において，被覆シート３１によって被覆され続けている。このような観点から，延出側幅大部２５ａの長手方向（Ｙ軸方向）の長さは，被覆側幅大部２５ｂの長さよりも長いことが好ましい。例えば，延出側幅大部２５ａの長手方向の長さは，第２吸収性本体２０の全体の長さを１００％としたときに，３０％〜８０％，又は４０％〜７０％程度とすることが好ましい。また，被覆側幅大部２５ｂの長手方向（Ｙ軸方向）の長さは，第２吸収性本体２０の全体の長さを１００％としたときに，１０％〜４０％，又は２０％〜３０％程度とすればよい。
【００４１】
また，図１において，符号Ｂは，幅小部２４の肉部分の幅寸法（最小）を示している。また，符号Ｗ１と符号Ｗ２は，それぞれ，延出側幅大部２５ａの肉部分の幅寸法（最小）と，被覆側幅大部２５ｂの肉部分の幅寸法（最小）を示している。図１に示されるように，幅小部２４の幅寸法Ｂは，延出側幅大部２５ａの幅寸法Ｗ１と被覆側幅大部２５ｂの幅寸法Ｗ２よりも小さくなる（Ｂ＜Ｗ１，Ｗ２）。例えば，幅小部２４の幅寸法Ｂは，延出側幅大部２５ａの幅寸法Ｗ１と被覆側幅大部２５ｂの幅寸法Ｗ２に対して，１０％〜９５％とすることができる。なお，延出側幅大部２５ａの幅寸法Ｗ１と被覆側幅大部２５ｂの幅寸法Ｗ２は等しくてもよいし，異なっていてもよい。特に，延出側幅大部２５ａの幅寸法Ｗ１は，被覆側幅大部２５ｂの幅寸法Ｗ２よりも大きいことが好ましい。
【００４２】
図１に示されるように，第２吸収性本体２０を被覆シート３１の内部に最大限収納した状態において，第２吸収性本体２０は，被覆側幅大部２５ｂの全体と，幅小部２４の全体と，延出側幅大部２５ａの一部が被覆シート３１によって覆われている。なお，第２吸収性本体２０を被覆シート３１から引き出しやすいように，延出側幅大部２５ａの一部は，被覆シート３１の開口３１ａから延出していることが好ましい。特に，延出側幅大部２５ａの一部は，第１吸収性本体１０の長手方向の端縁からも延出していることが好ましい。このように，第２吸収性本体２０は，被覆シート３１の内部に最大限収納した状態において，略全体に亘って被覆シート３１により被覆されたものとなる。
【００４３】
ここで，第１の実施形態において，連結手段３０は，抜止め用接合部３２をさらに含む。図１〜図３に示されるように，抜止め用接合部３２は，被覆シート３１と第１吸収性本体１０を接合した部分である。抜止め用接合部３２は，第２吸収性本体２０を被覆シート３１の内部に最大限収納した状態において，第２吸収性本体２０の肉抜き部２４ａに相当する部位の一部に形成されることが好ましい。本実施形態において，第２吸収性本体２０には二箇所に肉抜き部２４ａが形成されている。このため，抜止め用接合部３２も，この肉抜き部２４ａのそれぞれに対応するにように二箇所に形成されることが好ましい。ただし，抜止め用接合部３２は，肉抜き部２４ａに対応する部位の全体に形成されるものではなく，部分的に形成されるものである。例えば，図１に示されるように，抜止め用接合部３２の横幅（Ｘ軸方向の長さ）は，肉抜き部２４ａの横幅に略一致していることが好ましい。他方，抜止め用接合部３２の縦幅（Ｙ軸方向の長さ）は，肉抜き部２４ａの縦幅の一部（例えば１／５以下）となることが好ましい。例えば抜止め用接合部３２の縦幅は，１ｍｍ〜１０ｍｍ程度とすれば十分である。なお，抜止め用接合部３２は，ホットメルト接着剤等の公知の接着剤を用いて形成してもよいし，ヒートシールや超音波シールによって被覆シート３１と第１吸収性本体１０を融着させて形成することとしてもよい。
【００４４】
このように抜止め用接合部３２を形成することで，第２吸収性本体２０を引き出す方向にスライドさせたときには，最終的に，第２吸収性本体２０の被覆側幅大部２５ｂが抜止め用接合部３２に当接する。図２には，第２吸収性本体２０を最大限引き出した状態が示されている。図２に示されるように，抜止め用接合部３２がストッパーとして機能するため，第２吸収性本体２０が完全に第１吸収性本体１０から分離することを防止できる。他方，第２吸収性本体２０を被覆シート３１の内部に収納する方向にスライドさせたときには，最終的に，第２吸収性本体２０の延出側幅大部２５ａが抜止め用接合部３２に当接する。
【００４５】
また，図２を参照して，被覆側幅大部２５ｂが抜止め用接合部３２に当接するまで第２吸収性本体２０を最大限引き出した状態を説明する。図２に示されるように，第２吸収性本体２０を最大限引き出した状態において，第２吸収性本体２０の幅小部２４は，第１吸収性本体１０の外縁から突出しないことが好ましい。つまり，第２吸収性本体２０を最大限引き出した状態においても，第２吸収性本体２０の幅小部２４は，第１吸収性本体１０の肌非対向面側に隠れたままとなっていることが好ましい。第２吸収性本体２０の幅小部２４は，肉抜き部２４ａが形成されて，肉部分の幅寸法が小さくなっている。このため，第２吸収性本体２０の幅小部２４が第１吸収性本体１０の外縁からはみ出すと，尿などの排泄液が肉抜き部２４ａを通過して，外部に漏れ出す恐れがある。従って，第２吸収性本体２０の幅小部２４は，第１吸収性本体１０の外縁から突出しないことが好ましい。
【００４６】
また，図２に示されるように，第２吸収性本体２０を最大限引き出した状態において，第２吸収性本体２０は，被覆側幅大部２５ｂの全部分と，幅小部２４の全部分と，延出側幅大部２５ａの少なくとも一部が，被覆シート３１によって被覆されている。従って，本実施形態では，第２吸収性本体２０が収納されている状態（図１参照）及び引き出されている状態（図２参照）の両方において，被覆側幅大部２５ｂと，幅小部２４と，延出側幅大部２５ａの一部とが，被覆シート３１によって被覆されることとなる。このように，第２吸収性本体２０の大部分を被覆シート３１で覆うことで，第２吸収性本体２０をスライドさせて，吸収性物品１００の製品長を調節しやすくなる。
【００４７】
具体的に説明すると，図４には，吸収性物品１００の使用状態が模式的に示されている。図４（ａ）は，吸収性物品１００の製品長を収縮させた状態を示し，図４（ｂ）は，吸収性物品１００の製品長を伸長させた状態を示している。図４に示されるように，吸収性物品１００は，着用者に装着されている状態において，通常，着用者の臀部と，被覆や床との間に位置することとなる。このとき，着用者が座っていたり寝ていたりしている状態においては，着用者の体圧が，吸収性物品１００に掛かることなる。このように，着用者の体圧が荷重となって負荷されている状態において，第２吸収性本体２０が，着用者の肌に直接触れていたり被覆や床に直接触れていたりすると，摩擦抵抗が大きくなって第２吸収性本体２０をスライドしにくくなる。そこで，本発明の吸収性物品１００では，第２吸収性本体２０を，第１吸収性本体１０と被覆シート３１の間に介在させることで，第２吸収性本体２０が，着用者の肌や，被覆，床などに直接触れないようにしている。例えば，図４に示した実施形態では，第２吸収性本体２０と着用者の肌の間には，第１吸収性本体１０が位置している。第２吸収性本体２０は，着用者の肌に接しているよりも，第１吸収性本体１０と接しているときのほうが，摩擦抵抗が小さいため，比較的スムーズにスライドするようになる。また，図４に示した実施形態では，第２吸収性本体２０と被覆や床との間には，被覆シート３１が位置している。第２吸収性本体２０は，被服等に接しているよりも，被覆シート３１と接しているときの方が摩擦抵抗は小さいため，比較的スムーズにスライドするようになる。このように，第２吸収性本体２０を，肌対向面側及び肌非対向面側の両方から被覆することで，吸収性物品１００に荷重が掛かっている場合であっても，第２吸収性本体２０をスライドしやすくなる。従って，着用者が吸収性物品１００を装着している最中であっても，第２吸収性本体２０をスライドさせて，吸収性物品１００の製品長を伸ばしたり縮めたりすることが容易になる。
【００４８】
図５は，第１の実施形態に係る吸収性物品１００の改良例を示している。
図５に示されるように，吸収性物品１００は，抜止め用接合部３２として，本止め部３２ａと，一又は複数の仮止め部３２ｂを有していることとしてもよい。
【００４９】
本止め部３２ａは，第２吸収性本体２０が第１吸収性本体１０から分離することを最終的に防止するための接合部である。このため，本止め部３２ａにおいては，被覆シート３１が第１吸収性本体１０に対して，一般的な使用態様では簡単に剥離しないように比較的強力に接合されている。他方，仮止め部３２ｂは，本止め部３２ａよりも前に第２吸収性本体２０が当接する接合部であり，第２吸収性本体２０をある程度の力でスライドさせると剥離するようになっている。このため，仮止め部３２ｂにおいては，被覆シート３１が第１吸収性本体１０に対して，本止め部３２ａよりも弱い力で接合されている。従って，着用者は，第２吸収性本体２０を段階的にスライドさせることができ，吸収性物品１００の製品長を段階的に調節できるようになる。
【００５０】
図５に示されるように，仮止め部３２ｂは，複数存在していることが好ましい。例えば，仮止め部３２ｂの数は，２〜５箇所程度であることが好ましい。具体的には，複数の仮止め部３２ｂは，本止め部３２ａと同様に，肉抜き部２４ａに相当する部位に形成されており，本止め部３２ａよりも先に第２吸収性本体２０に当接するように配置されている。仮止め部３２ｂは，例えば，本止め部３２ａよりも横幅（Ｘ軸方向の長さ）や縦幅（Ｙ軸方向の長さ）を短くすることによって，本止め部３２ａよりも接合力を弱くすることができる。その他にも，本止め部３２ａよりも接着力の弱い接着剤を使用して，仮止め部３２ｂを形成することもできる。
【００５１】
図６は，第１の実施形態に係る吸収性物品１００の変形例を示している。
図６に示されるように，吸収性物品１００は，第１吸収性本体１０の肌対向面側に，第２吸収性本体２０を重ねることとしてもよい。
【００５２】
図６に示されるように，第１吸収性本体１０の肌対向面側に第２吸収性本体２０を重ねた場合，被覆シート３１が，第２吸収性本体２０の肌対向面側に位置することとなる。この場合，被覆シート３１が着用者の肌に直接触れることとなる。従って，図６に示した例においては，被覆シート３１を液透過性材料によって形成することが好ましい。例えば，被覆シート３１は，トップシート１２，２２と同様に，織布，不織布，又は多孔性フィルム等で形成すればよい。
【００５３】
図７及び図８は，第１の実施形態に係る吸収性物品１００の様々なバリエーションを示している。
【００５４】
図７（ａ）に示されるように，吸収性物品１００は，第２吸収性本体２０の側縁の片側の一箇所にのみ，肉抜き部２４ａが形成されていてもよい。また，肉抜き部２４ａが一箇所であることに対応して，抜止め用接合部３２も，第２吸収性本体２０の側縁の片側の一箇所にのみ形成されている。このような例においても，第２吸収性本体２０には，幅小部２４と，延出側幅大部２５ａと，被覆側幅大部２５ｂが形成される。
【００５５】
また，図７（ｂ）に示されるように，吸収性物品１００は，第２吸収性本体２０が略Ｔ字型に形成されていてもよい。すなわち，第２吸収性本体２０は，幅小部２４と，被覆側幅大部２５ｂを有しているものの，延出側幅大部２５ａが形成されていない。このため，第２吸収性本体２０をスライドさせたときには，幅小部２４が，被覆シート３１の開口３１ａを通じて延出することとなる。
【００５６】
また，図８（ａ）に示されるように，吸収性物品１００は，被覆シート３１が，第２吸収性本体２０の幅小部２４と被覆側幅大部２５ｂのみを覆うものであり，延出側幅大部２５ａを被覆しないものであってもよい。つまり，図８（ａ）の例においては，第２吸収性本体２０を最大限被覆シート３１内に収納しても，延出側幅大部２５ａが，被覆シート３１によって被覆されないこととなる。この場合，第２吸収性本体２０を引き出すようにスライドさせたときには，幅小部２４が，被覆シート３１の開口３１ａを通じて延出することとなる。
【００５７】
また，図８（ｂ）に示されるように，吸収性物品１００は，肉抜き部２４ａが，第２吸収性本体２０の中頃に，孔として形成されたものであってもよい。つまり，肉抜き部２４ａは，第２吸収性本体２０を貫通する孔として形成される。孔としての肉抜き部２４ａは，その周囲を第２吸収性本体２０の肉部分で囲われたものとなる。この場合，第２吸収性本体２０は，肉抜き部２４ａが形成された部位が，肉部分の幅寸法（Ｂ１＋Ｂ２）が小さくなる。従って，図８（ｂ）に示した例では，肉抜き部２４ａが形成された部位が，幅小部２４となる。また，図８（ｂ）に示されるように，肉抜き部２４ａが孔として形成されている場合，この肉抜き部２４ａの内部に，抜止め用接合部３２を形成することが好ましい。
【００５８】
図９及び図１０は，第２の実施形態に係る吸収性物品１００を示した展開図である。第２の実施形態については，上述した第１の実施形態と同様の点については説明を割愛し，異なる点を中心に説明を行う。
【００５９】
図９及び図１０に示されるように，第２の実施形態において，連結手段３０は，抜止め用バンド部材３３によって構成されている。抜止め用バンド部材３３は，第１吸収性本体１０と第２吸収性本体２０を連結するための帯状の部材である。抜止め用バンド部材３３は，吸収性物品１００の幅方向（Ｘ方向）の両側に形成された固定部３３ｂにおいて，第１吸収性本体１０の肌非対向面側に固定されている。このため，抜止め用バンド部３３は，左右の固定部３３ｂの間に，一つの連通した開口３３ａが形成される。
【００６０】
図９及び図１０に示されるように，抜止め用バンド部３３が形成する連通した開口部３３ａには，第２吸収性本体２０の幅小部２４が挿通されている。具体的に説明すると，第２吸収性本体２０には，幅方向の左右両側に肉抜き部２４ａが形成されており，この左右の肉抜き部２４ａに相当する部分に，抜止め用バンド部材３３を第１吸収性本体１０に固定するための固定部３３ｂが形成されている。このため，抜止め用バンド部材３３の左右の固定部３３ｂの間に形成された連通した開口３３ａの中に，第２吸収性本体２０の幅小部２４の肉部分が差し込まれた状態となっている。
【００６１】
このため，第２の実施形態は，第１の実施形態と同様に，第２吸収性本体２０を長手方向（Ｙ軸方向）にスライドさせることができるようになっている。これにより，吸収性物品１００の製品長を自由に伸縮させることができる。また，図９及び図１０に示されるように，第２吸収性本体２０をスライドさせると，第２吸収性本体２０の幅大部（２５ａ，２５ｂ）が，抜止め用バンド部材３３に当接する。これにより，抜止め用バンド部材３３によって，第２吸収性本体２０が第１吸収性本体１０から分離することが防止されている。
【００６２】
以上，本願明細書では，本発明の内容を表現するために，図面を参照しながら本発明の実施形態の説明を行った。ただし，本発明は，上記実施形態に限定されるものではなく，本願明細書に記載された事項に基づいて当業者が自明な変更形態や改良形態を包含するものである。
【００６３】
例えば，本願明細書では，本発明について，第２吸収性本体をスライドさせることにより，吸収性物品の製品長を調節するための構造を例に挙げて説明した。ただし，本発明は，第２吸収性本体をスライドさせることにより，吸収性物品の製品幅を調節することができるものであってもよい。
【産業上の利用可能性】
【００６４】
本発明は，使い捨ておむつや尿パッドなどの吸収性物品に関する。従って，本発明は，吸収性物品の製造業において好適に利用することができる。
【符号の説明】
【００６５】
１０…第１吸収性本体      １１…第１吸収体          １２…第１トップシート
１３…第１バックシート    ２０…第２吸収性本体      ２１…第２吸収体
２２…第２トップシート    ２３…第２バックシート    ２４…幅小部
２４ａ…肉抜き部          ２５…幅大部              ２５ａ…延出側幅大部
２５ｂ…被覆側幅大部      ３０…連結手段            ３１…被覆シート
３１ａ…開口              ３１ｂ…固定部            ３２…抜止め用接合部
３２ａ…本止め部          ３２ｂ…仮止め部          ３３…抜止め用バンド部材
３３ａ…連通した開口      ３３ｂ…固定部            １００…吸収性物品
【図１】
2015181490.tif 000003
【図２】
2015181490.tif 000004
【図３】
2015181490.tif 000005
【図４】
2015181490.tif 000006
【図５】
2015181490.tif 000007
【図６】
2015181490.tif 000008
【図７】
2015181490.tif 000009
【図８】
2015181490.tif 000010
【図９】
2015181490.tif 000011
【図１０】
2015181490.tif 000012